(57)【要約】【課題】音声通信を介しての音声信号は、１対１のリアルタイム通信に限定されていて、特定多数にタイムシフト配信（時間をずらして再度聴くこと）ができないという不都合を解決すること。【解決手段】 音声通信を介して音声信号を録音し、事前に登録した特定多数の電話機に対してのみ発信し、音声信号を配信することでこの課題を解決する。音声通信を介して音声信号を録音した内容を保存し、特定多数の電話機からの要求に対してのみ、配信することで、秘匿性を保ちながら、タイムシフトを可能とする。【選択図】図１
2009296393.tif 000002
【特許請求の範囲】
【請求項１】
音声通信を介して録音した音声信号を、特定多数の電話機に対してのみ発信し、配信するシステムとその方法
【請求項２】
音声通信を介して録音した音声信号を、特定多数の電話機からの要求に対してのみ配信するタイムシフト（時間をずらして再度聴くこと）システムとその方法
【発明の詳細な説明】
【技術分野】
【０００１】
本発明は音声通信に関するものであり、録音した音声信号を、特定多数の電話機に対してのみ発信し、タイムシフト（時間をずらして再度聴くこと）を可能にするシステムとその方法である。
【背景技術】
【０００２】
現在電話の普及率は、携帯電話を含めると、一人が複数台を所有するまでになっている。携帯電話向けの各種サービスも多種多様なものがあり、音声信号以外の文字情報や画像データの送受信が可能となっている。（図１）
【０００３】
若年層には、これまでにない情報化社会の環境が構築されているが、高齢者には、高度な各種サービスを使いこなすことが大変難しい。また山間部では携帯電話が繋がらない家庭も少なからず存在する。
【０００４】
音声通信だけで、簡便に情報共有をするための仕組みが存在しない現状がある。
【０００５】
従来の音声通信は、１対１で、かつリアルタイムでしか通信を行うことができない。特定多数に音声通信を配信する場合は、音声を配信する者が、特定多数に対して、１対１の通信を必要回数行う必要がある。
【０００６】
これに対し、インターネットにおいてはマルチキャスト（特定多数への配信）が可能なシステムが存在し、例えば特許文献１に開示されている例がある。
【特許文献１】特開２００２−２６９８７号公報
【発明の開示】
【発明が解決しようとする課題】
【０００７】
解決しようとする問題点は、従来の音声通信に、マルチキャスト（特定多数への配信）及びタイムシフト（時間をずらして再度聴くこと）を可能にし、音声通信において、１対多の配信を実現することにある。
【０００８】
またインターネットのマルチキャストアドレスを利用することなく、電話番号が設定された電話機で、マルチキャスト（特定多数への配信）及びタイムシフト（時間をずらして再度聴くこと）の利用を可能とすることである。
【課題を解決するための手段】
【０００９】
本発明は、特定多数の電話機の電話番号と、特定多数の電話機で構成されるグループ代表電話番号を使い、事前に登録した特定多数の電話機の電話番号だけが、グループ代表電話番号への発着信が行え、音声通信を介して音声信号を録音・再生することを最も主要な特徴とする。（図２）
【発明の効果】
【００１０】
本発明により、事前に登録した特定多数の電話機から、グループ代表電話番号へ発信し、録音することで、事前に登録した特定多数の電話機へ録音した音声信号を送信できる。（図２）
【００１１】
事前に登録した特定多数の電話機は、同一グループに配信された音声信号を、時間をずらして再度聴くこと（タイムシフト）が可能である。
【００１２】
この機能により、音声通信を使って、簡便に情報共有をするための仕組みを提供することが可能となる。
【発明を実施するための最良の形態】
【００１３】
請求項１、請求項２を実施するための構成図を示す。図２は、本システムの基本的な構成である。図３は、特定多数の電話機の電話番号をグループ化するグループ管理表である。図４は、特定多数の電話機への配信状態を管理する配信管理表である。
【００１４】
図２の交換機１００、登録管理サーバ２００、配信サーバ３００は、任意の複数台数を設置可能で、同時並行で、回線処理、検索処理、情報更新処理を実行することができる。
【００１５】
請求項１について、各図面を参照して、詳細を説明する。
【００１６】
図３のグループ管理表を例とすると、図２の電話機１０、２０、３０は、グループ代表番号１に所属し、特定多数の電話機グループに属する。電話機１０、２０、３０以外の電話機は、グループ代表番号１には所属しない。
【００１７】
図３のグループ管理表のグループ代表番号には、特定多数の電話機を登録することが可能である。
【００１８】
図２の交換機１００は、図３のグループ管理表のグループ代表番号で、発着信できる交換機である。
【００１９】
図２の電話機１０が、グループ代表番号１へ発信した場合、交換機１００は、グループ代表番号１を着信し、配信サーバ３００へ回線を接続する。
【００２０】
図２の配信サーバ３００は、グループ代表番号１と、電話機１０の電話番号１０を、登録管理サーバ２００へ通知する。
【００２１】
図２の登録管理サーバ２００は、グループ管理表２０１のグループ代表番号１に、当該グループ内の電話機の電話番号１０が存在するかどうかを検索し、結果を配信サーバ３００へ通知する。
【００２２】
図２の配信サーバ３００は、検索結果から、グループ管理表２０１のグループ代表番号１に、当該グループ内の電話機の電話番号１０が存在する場合、配信サーバ３００及び交換機１００は、特定多数の電話機間の音声配信及びタイムシフトに関するシステムの利用を許可する。
【００２３】
図２の配信サーバ３００は、検索結果から、グループ管理表２０１のグループ代表番号１に、当該グループ内の電話機の電話番号１０が存在しない場合、配信サーバ３００は、回線を切断し、交換機１００は、配信サーバ３００の回線切断を感知し、交換機１００の同回線を切断する。その場合、特定多数の電話機間の音声配信及びタイムシフトに関するシステムの利用を不許可とする。
【００２４】
図２の配信サーバ３００にシステム利用を許可された場合、配信サーバ３００は、登録管理サーバ２００に、配信管理表２０２のグループ代表電話番号１、配信先の電話機の電話番号１０宛の音声データ３０１が存在するかどうか検索処理を要求する。
【００２５】
図２の登録管理サーバ２００が検索した結果、音声データ３０１が存在する場合、配信サーバ３００は、電話機１０に音声データ３０１があることを通知する。電話機１０が、任意の番号を発信しなかった場合、請求項２の録音済みの音声データ３０１を配信する。電話機１０が、任意の一桁の番号を発信した場合、音声データ３０１の音声録音処理を実施する。
【００２６】
図２の登録管理サーバ２００が検索した結果、音声データ３０１が存在しなかった場合、音声データ３０１の音声録音処理を実施する。
【００２７】
図２の配信サーバ３００にシステム利用を許可された電話機１０は、グループ代表番号１に所属する電話機グループ用のメッセージを録音し、配信サーバ３００に、音声データ３０１として保存し、回線を切断する。交換機１００は、配信サーバ３００の回線切断を感知し、交換機１００の同回線を切断する。
【００２８】
図２の配信サーバ３００の、音声データ３０１は、複数登録が可能である。
【００２９】
図２の配信サーバ３００が、グループ管理表２０１のグループ代表番号１に所属する電話機番号を持つ電話機２０、３０へ音声データ３０１を配信するために、配信サーバ３００は、登録管理サーバ２００への、配信管理表２０２へ登録を要求する。登録する項目は、図４の各項目となる。
【００３０】
図２の配信サーバ３００は、登録管理サーバ２００へ、定期的に配信管理表２０２の配信状態を確認し、「未配信」が存在すれば、配信先の電話機の電話番号へ交換機１００を経由して発信する。
【００３１】
この場合、交換機１００からの発信元電話番号は、配信管理表２０２のグループ管理表のグループ代表電話番号から発信する。この例では、発信元電話番号は１となる。
【００３２】
電話機２０が、「未配信」の場合、配信サーバ３００は、交換機１００を経由して、再度、電話機２０へ発信を試みる。発信回数は、配信サーバ３００にて任意に変更が可能である。同一電話機への配信サーバ３００の発信時間間隔は、配信サーバ３００にて任意に変更が可能である。
【００３３】
電話機２０が、任意の回数未着信の場合、配信サーバ３００は、登録管理サーバ２００へ、配信管理表２０２のグループ代表電話番号１、音声データ３０１を登録した電話機の電話番号１０、配信先の電話機の電話番号２０の配信状態を、未着信とする。
【００３４】
登録管理サーバ２００の配信管理表２０２の配信状態を、「配信済み」とする要因は、４種類存在する。これらは、配信サーバ３００にて任意に変更が可能である。
【００３５】
登録管理サーバ２００の配信管理表２０２の配信状態を、「配信済み」とする要因１として、電話機２０が着信した場合、音声データ３０１を配信したものとみなし、配信サーバ３００は、登録管理サーバ２００へ、配信管理表２０２のグループ代表電話番号１、音声データ３０１を登録した電話機の電話番号１０、配信先の電話機の電話番号２０の配信状態を、「配信済み」とする。
【００３６】
登録管理サーバ２００の配信管理表２０２の配信状態を、「配信済み」とする要因２として、電話機２０が着信をして、音声データ３０１を一部を再生した場合、配信したものとみなし、配信サーバ３００は、登録管理サーバ２００へ、配信管理表２０２のグループ代表電話番号１、音声データ３０１を登録した電話機の電話番号１０、配信先の電話機の電話番号２０の配信状態を、「配信済み」とする。
【００３７】
登録管理サーバ２００の配信管理表２０２の配信状態を、「配信済み」とする要因３として、電話機２０が着信をして、音声データ３０１の内容をすべて再生した場合、配信したものとみなし、配信サーバ３００は、登録管理サーバ２００へ、配信管理表２０２のグループ代表電話番号１、音声データ３０１を登録した電話機の電話番号１０、配信先の電話機の電話番号２０の配信状態を、「配信済み」とする。
【００３８】
登録管理サーバ２００の配信管理表２０２の配信状態を、「配信済み」とする要因４として、電話機２０が着信をして、任意のタイミングで、任意の一桁の番号を、電話機２０が発信した場合、配信したものとみなし、配信サーバ３００は、登録管理サーバ２００へ、配信管理表２０２のグループ代表電話番号１、音声データ３０１を登録した電話機の電話番号１０、配信先の電話機の電話番号２０の配信状態を、「配信済み」とする。
【００３９】
図２の配信サーバ３００は、登録管理サーバ２００へ、随時、登録管理サーバ２００の配信管理表２０２の配信状態を確認し、「未配信」が存在すれば、配信先の電話機の電話番号へ交換機１００を経由して発信する動作を、「未配信」が存在しなくなるまで繰り返す。本動作は、同時並行に行われる。
【００４０】
次に、請求項２について、各図面を参照して、詳細を説明する。
【００４１】
図３のグループ管理表を例とすると、図２の電話機１０、２０、３０は、グループ代表番号１に所属し、特定多数の電話機グループに属する。電話機１０、２０、３０以外の電話機は、グループ代表番号１には所属しない。
【００４２】
図３のグループ管理表のグループ代表番号には、特定多数の電話機を登録することが可能である。
【００４３】
図２の交換機１００は、図３のグループ管理表のグループ代表番号で、発着信できる交換機である。
【００４４】
図２の電話機２０が、グループ代表番号１へ発信した場合、交換機１００は、グループ代表番号１を着信し、配信サーバ３００へ回線を接続する。
【００４５】
図２の配信サーバ３００は、グループ代表番号１と、電話機２０の電話番号２０を、登録管理サーバ２００へ通知する。
【００４６】
図２の登録管理サーバ２００は、グループ管理表２０１のグループ代表番号１に、当該グループ内の電話機の電話番号２０が存在するかどうかを検索し、結果を配信サーバ３００へ通知する。
【００４７】
図２の配信サーバ３００は、検索結果から、グループ管理表２０１のグループ代表番号１に、当該グループ内の電話機の電話番号２０が存在する場合、配信サーバ３００及び交換機１００は、特定多数の電話機間の音声配信及びタイムシフトに関するシステムの利用を許可する。
【００４８】
図２の配信サーバ３００は、検索結果から、グループ管理表２０１のグループ代表番号１に、当該グループ内の電話機の電話番号２０が存在しない場合、配信サーバ３００は、回線を切断し、交換機１００は、配信サーバ３００の回線切断を感知し、交換機１００の同回線を切断する。その場合、特定多数の電話機間の音声配信及びタイムシフトに関するシステムの利用を不許可とする。
【００４９】
図２の電話機の電話番号２０は、配信サーバ３００にシステム利用を許可された場合、配信サーバ３００は、登録管理サーバ２００に、配信管理表２０２のグループ代表電話番号１、配信先の電話機の電話番号２０の配信状態において「未配信」のものが存在するかどうかを検索処理を要求する。
【００５０】
図２の登録管理サーバ２００が検索した結果、配信状態が「未配信」のものが存在する場合、配信サーバ３００は、電話機２０に音声データ３０１があることを通知する。電話機２０が、任意の番号を発信しなかった場合、録音済みの音声データ３０１を配信する。電話機２０が、任意の一桁の番号を発信した場合、請求項１の音声データ３０１の音声録音処理を実施する。
【００５１】
図２の登録管理サーバ２００が検索した結果、音声データ３０１が存在しなかった場合、請求項１の音声データ３０１の音声録音処理を実施する。
【００５２】
登録管理サーバ２００の配信管理表２０２の配信状態を、「配信済み」とする要因は３種類存在する。これらは、配信サーバ３００にて任意に変更が可能である。
【００５３】
登録管理サーバ２００の配信管理表２０２の配信状態を、「配信済み」とする要因１として、電話機２０が、グループ管理表２０１のグループ代表番号１に発信し、音声データ３０１を一部再生した場合、配信したものとみなし、配信サーバ３００は、登録管理サーバ２００へ、配信管理表２０２のグループ代表電話番号１、音声データ３０１を登録した電話機の電話番号１０、配信先の電話機の電話番号２０の配信状態を、「配信済み」とする。
【００５４】
登録管理サーバ２００の配信管理表２０２の配信状態を、「配信済み」とする要因２として、電話機２０が、グループ管理表２０１のグループ代表番号１に発信し、音声データ３０１の内容をすべて再生した場合、配信したものとみなし、配信サーバ３００は、登録管理サーバ２００へ、配信管理表２０２のグループ代表電話番号１、音声データ３０１を登録した電話機の電話番号１０、配信先の電話機の電話番号２０の配信状態を、「配信済み」とする。
【００５５】
登録管理サーバ２００の配信管理表２０２の配信状態を、「配信済み」とする要因３として、電話機２０が、グループ管理表２０１のグループ代表番号１に発信し、任意のタイミングで、任意の一桁の番号を、電話機２０が発信した場合、配信したものとみなし、配信サーバ３００は、登録管理サーバ２００へ、配信管理表２０２のグループ代表電話番号１、音声データ３０１を登録した電話機の電話番号１０、配信先の電話機の電話番号２０の配信状態を「配信済み」とする。
【００５６】
図２の電話機２０は、任意のタイミングで回線の切断が可能である。回線の切断を感知した交換機１００は、同回線を切断し、配信サーバ３００も、回線切断を感知し、同回線を切断する。
【産業上の利用可能性】
【００５７】
本発明により、高度な意思伝達機能を有する音声信号を、リアルタイムで１対１でしか実現できなかった音声コミュニケーションを、１対多かつ非リアルタイム性を付与することで、円滑な情報配信を可能とする。
【００５８】
例えば、特定多数に即時配信が必要とされる、企業・団体等での緊急連絡網での利用により、迅速で正確な情報の伝達が可能となる。
【図面の簡単な説明】
【００５９】
【図１】本システムと他サービスの比較図である。
【図２】実施形態の構成ブロック図である。
【図３】図２のグループ管理表２０１の、グループ管理表の項目である。
【図４】図３のグループ管理表２０２の、配信管理表の項目である。
【符号の説明】
【００６０】
１  サービス提供者
１０、２０、３０  電話機
１００  交換機
２００  登録管理サーバ
２０１  グループ管理表
２０２  配信管理表
３００  配信サーバ
３０１  音声データ
【図１】
2009296393.tif 000003
【図２】
2009296393.tif 000004
【図３】
2009296393.tif 000005
【図４】
2009296393.tif 000006